(57)【特許請求の範囲】
【請求項１】
軸線の周りに回転自在のスピンドルを駆動するよう装置ハウジング内に配置した駆動装置を具え、前記スピンドルには、装置ハウジングから軸線方向に突出して作業工具を収容するための工具収容部を連結し、また、前記工具収容部からの軸線方向突出量を調整できる深さ止め（３；１０；１６；２２）を具え、この深さ止めにより前記工具収容部をスリーブ状に包囲し、また、前記深さ止めを装置ハウジングに、着脱自在に連結した手持ちねじ回し装置において、前記深さ止め（３；１０；１６；２２）の壁に軸線方向に延在しかつ深さ止め（３；１０；１６；２２）の壁に完全に貫通する少なくとも１個の切除部（６；２０；２４）を設け、この切除部（６；２０；２４）の前記装置ハウジング（２）側とは反対側の端部領域に軸線方向に開放する挿入領域（７；２１；２５）を設けたことを特徴とするねじ回し装置。
【請求項２】
前記切除部（６；２０）はスリット状案内とし、装置ハウジング（２）側とは反対側の端部領域に傾斜した挿入領域（７；２１）を設けた請求項１記載のねじ回し装置。
【請求項３】
少なくとも１個の切除部（６）の一方の軸線方向端部の幅を反対側の端部よりも大きくした請求項１又は２記載のねじ回し装置。
【請求項４】
前記深さ止め（１０；１６）の周囲に沿って複数個の切除部（６；２０）を設けた請求項１乃至３のうちのいずれか一項記載のねじ回し装置。
【請求項５】
前記深さ止め（１０；１６）に他の軸線方向に延在する少なくとも１個の開口部（１３）を設け、この開口部を深さ止め（１０；１６）の壁に完全に貫通させ、この開口部（１３）は少なくとも１個の前記切除部（６；２０）とは異なる寸法とした請求項４記載のねじ回し装置。
【請求項６】
前記開口部（１３）を鍵穴状形状にし、円形の拡大領域（１４）を設け、この拡大領域から軸線方向に円錐状に縮小する縮小部（１５）を延在させた請求項５記載のねじ回し装置。
【請求項７】
前記切除部又は開口部を、軸線方向の端部領域で開口させ、深さ止め（２２）の前方の遊端で開放した請求項３乃至６のうちのいずれか一項に記載のねじ回し装置。
【請求項８】
前記深さ止め（１０；１６）の周囲に沿って複数個の同一形状の開口部（１３）を設けた請求項５乃至７のうちのいずれか一項に記載のねじ回し装置。
【請求項９】
少なくとも１個の前記切除部（６；２０）及び少なくとも１個の開口部（１３）を互いに軸線方向に順次に配置し、前記切除部（６；２０）を少なくとも１個の開口部（１３）よりも装置ハウジング（２）に近接させて配置した請求項８記載のねじ回し装置。
【請求項１０】
前記深さ止め（１０；１６）を前方のスリーブ（１１）と、後方のねじブッシュ（４；１７）とにより構成し、これらスリーブ（１１）及びねじブッシュ（４；１７）を軸線方向に順次に配置し、また調整自在のねじ連結部（１２；１８）によって互いに着脱自在に連結し、少なくとも１個の切除部（６；２０）を、装置ハウジング（２）に対して回転不能でありかつこの装置ハウジング（２）に対して着脱自在に連結できるねじブッシュ（４；１７）に設け、少なくとも１個の開口部（１３）を前記前方スリーブ（１１）に配置した請求項９記載のねじ回し装置。
【発明の詳細な説明】
【０００１】
【発明の属する技術分野】
本発明は、軸線の周りに回転自在のスピンドルを駆動するよう装置ハウジング内に配置した駆動装置を具え、前記スピンドルには、装置ハウジングから軸線方向に突出して作業工具を収容するための工具収容部を連結し、また、前記工具収容部からの軸線方向突出量を調整できる深さ止め（を具え、この深さ止めにより前記工具収容部をスリーブ状に包囲し、また、前記深さ止めを装置ハウジングに、好適には着脱自在に連結した手持ちねじ回し装置に関するものである。
【０００２】
【従来の技術】
石膏ボードパネル、ベニヤパネル、又はファイバパネルを、手持ちねじ回し装置及びこれに必要な固定用ねじによって孔を開けることなく、下部構造、例えば、木造構造、特殊断面を有する金属プレート等に直接固定することがよくある。このような場合、石膏ボードパネルにより被われる下部構造に固定用ねじをねじ付けなければならず、規則に従ってねじ込む。
【０００３】
【発明が解決しようとする課題】
しかし、下部構造の位置を間違えると、通常、固定用ねじは石膏ボードパネル等の表面から極めて大きく突出する。ねじ込まれなかった固定用ねじは再び取り外さなければならない。このため、ねじ回し装置の使用者は常にペンチ等を携帯して、ねじ回し装置を置いた後に突出しているねじをつかみ、石膏ボードパネルから抜き出すことができるようにしなければならない。ペンチ等を携帯しなければならない欠点は別として、ねじ回し装置を置くことは作業の流れを中断することになる。更に、このことは梯子又は足場上での作業の際にねじ回し装置を確実に置くことは大きな問題である。
【０００４】
手持ちねじ回し装置のドライバビットは、専門的な使用では激しい磨耗にさらされ、従って、比較的頻繁に交換しなければならない。ねじ回し装置の工具収容部に挿入したビットホルダからドライバビットを取り外すため、使用者は、ドライバビットをつかんでビットホルダから抜き出すことができるつかみ工具、例えば、ペンチを必要とする。更に、ビットホルダ自体も交換する必要がある。このため使用者は、通常別個の補助工具を手にすることが必要になる。従って、使用者はこの補助工具も常に携帯するか、又は先ずこの補助工具を調達しなければならないが、このことは好ましくはない作業中断を招く。
【０００５】
手持ちねじ回し装置は通常深さ止めを具えており、この深さ止めによれば、制御されたねじ込み、及び例えば、固定ポイントが天候にさらされる場合、固定用ねじに設けたパッキンを制御した状態で押さえ付けることができる。しかし、既知の深さ止めでは、ねじ付け作業中に使用者は、構造部分に対してパッキンが押し付けられているか否か、場合によってはねじ付け作業によって過度の負荷が加わっていないかを確認することはできない。従って、一定の良好な固定品質を保証することはできない。パッキンの押え付けは制御することができず、天候にさらされる固定ポイントを不十分にしかカバーすることができない。過度の締め付けによれば、固定用ねじに設けたパッキンの材料が側方にはみ出すことになる。このことは固定ポイントの美観を損ない、発注者のクレームが付く恐れがある。これらのことから、固定作業の大部分において深さ止めの使用を断念しなければならなくなる。この場合不均一なまた長持ちしないねじ付けしかできなくなる。深さ止めの使用を断念することは、固定ポイントの設定には十分な注意深い作業が要求されることになり、従って、作業時間が長くなる。
【０００６】
従って、本発明の目的は、このような従来技術の欠点を解決するにある。即ち、本発明による手持ちねじ回し装置は、不正確にねじ込まれた固定用ねじを石膏ボードパネル等から除去する別個の補助工具例えば、ペンチ等を携帯する必要をなくすことができるねじ回し装置を得るにある。更に、ドライバビットの交換及び必要に応じてビットホルダの交換も補助工具を使用することなく行うことができるねじ回し装置を得るにある。シールする必要がある固定ポイントの創成の際には、使用者は深さ止めの使用を断念することなく、深さ止めを存続させることだできるねじ回し装置を得るにある。
【０００７】
【課題を解決するための手段】
この目的を達成するため、本発明ねじ回し装置は、深さ止めの壁に少なくとも1 個の軸線方向に延在しかつ深さ止めの壁に完全に貫通する切除部を設け、この切除部の前記装置ハウジング側とは反対側の端部領域に軸線方向に開放する挿入領域を設けたことを特徴とする。
【０００８】
深さ止めに設けた少なくとも１個の軸線方向に延在する切除部は、特に固定用ねじのための引き抜き補助部として使用する。これにより、使用者は適正にねじ困れなかった固定用ねじの除去のために、個別のペンチを必要としない。多くの場合固定用ねじはねじ回し装置によって抜き出すことができる。このため、構造部分の表面例えば、石膏ボードパネルの表面から突出するねじヘッドを深さ止めの壁に形成した軸線方向に延在する切除部として構成した開口した導入領域に挿入する。この抜き出し補助部に掛合した固定用ねじはねじ回し装置の作動によって構造部分の表面から抜き出すことができる。従って、使用者は別個の補助工具例えば、ペンチをを携帯する必要はなくなる。更に、不完全にねじ込まれた固定用ねじの抜き出しのために、ねじ回し装置を脇に置く必要はなくなる。切除部を適切に形成することによってドライバビットをビットホルダから抜き出すための補助部として使用することもできる。このため、深さ止めを装置ハウジングから着脱自在にする。これにより、ドライバビットは深さ止めの切除部にクランプ掛合することができ、また抜き出すことができる。このことは、ビットホルダの抜き出しにも適用することができる。少なくとも１個の切除部は深さ止めの壁に貫通させて形成する。これにより、使用者はねじに配置したパッキンを構造部分に押し当てる場合に切除部で制御することができるようになる。従って、使用者は深さ止めなしでねじ回し作業を行う要因とはならない。
【０００９】
抜き出そうとする固定用ねじの挿入を容易にするため、切除部はスリット状案内の形式とし、装置ハウジング側とは反対側の端部領域に傾斜した挿入領域を設けると好適である。この傾斜した挿入領域によって固定用ねじのヘッドをスリット状案内内に入り込ませることができる。
【００１０】
本発明の他の実施例においては、切除部にはスリット幅の小さい開口する端部領域を設け、これとは軸線方向反対側の端部領域を閉じた端部とする。この構成により、固定ねじ、ドライバビット、又はビットホルダをクランプによって簡単に保持することができ、これらをそれぞれパネル、ビットホルダ、及び工具収容部から抜き出すことができる。
【００１１】
深さ止めの周方向に沿って複数個の切除部を設け、各切除部を互いに異なる形状に形成する。これにより、異なる技術の固定ねじにもぴったり適合する抜き出し補助部として使用することができる。深さ止めの周方向に多数の切除部を設けることの他の利点しとしては、ねじ回し装置の空間的要求に適合した長さに選択することができ、固定ねじのヘッドに背後から掛合して抜き出すことができるという利点がある。
【００１２】
更に、本発明の好適な実施例としては、前記深さ止めに少なくとも１個の他の軸線方向に延在する開口部を設け、この開口部を深さ止めの壁に完全に貫通させ、この開口部は少なくとも１個の前記切除部とは異なる寸法とする。この実施例によれば、この少なくとも１個の追加の開口部をドライバビット又はビットホルダの引き抜き用に使用することができる。
【００１３】
本発明の他の好適な実施例においては、前記開口部を鍵穴状形状にし、円形の拡大領域を設け、この拡大領域から軸線方向に円錐状に縮小する縮小部を延在させる。円錐状に延在するスリットにおいて、ドライバビットをクランプすることができ、ビットホルダから抜き出すことができる。円形状の拡大領域はねじ回し装置の工具収容部に差し込んだビットホルダを抜き出すのに使用する。
【００１４】
少なくとも１個の切除部又は少なくとも１個の開口部の片側を開放し、深さ止めの前方の遊端に向けて開放させる実施例によれば、使用者はねじ回し作業中にねじを自由に見て確認することができる。これにより、ねじに配置したパッキンが構造部分に押し当てられたか否かを装着した深さ止めによっても確認することができる。従って、使用者はもはや深さ止めなしにねじ回し作業を行おうと考えることがなくなる。従って、本来の深さ止め機能としての条件は、パッキンを制御して押し付けるシールが必要な固定ポイントにも適合することができる。場合によっては、周方向に３〜４個の切除部又は開口部を設け、これら切除部又は開口部は深さ止めの前方遊端に開放させると、角部の挿入が一層容易になる。
【００１５】
更に、本発明の好適な実施例においては、前記深さ止めを前方のスリーブと、後方のねじブッシュとにより構成し、これらスリーブ及びねじブッシュを軸線方向に順次に配置し、また調整自在のねじ連結部によって互いに着脱自在に連結し、少なくとも１個の切除部を、装置ハウジングに対して回転不能でありかつこの装置ハウジングに対して着脱自在に連結できるねじブッシュに設け、少なくとも１個の開口部を前記前方スリーブに配置する。切除部及び開口部の配置は、特に、互いに調整自在のねじ連結によって着脱自在に連結する前方スリーブ及び後方のねじブッシュを設けた深さ止めにそれぞれ軸線方向に順次に配置するとよい。この場合、少なくとも方向の切除部を、装置ハウジングに対して回転不能でありかつこの装置ハウジングに着脱自在に連結する後方のねじブッシュに設け、少なくとも１個の開口部を前方スリーブに設ける。
【００１６】
【発明の実施の形態】
次に、図面につき本発明の好適な実施の形態を説明する。
【００１７】
図１に示す手持ちのねじ回し装置は全体的に参照符号１で示す。このねじ回し装置１はグリップを設けたピストル状の装置ハウジング２を有し、このグリップに操作スイッチを設ける。エネルギ供給は電気的接続ケーブルによって行う。装置ハウジング２の内部には詳細には示さない駆動モータを配置し、この駆動モータによって長手方向軸線Ａの周りに回転可能な回転スピンドルを駆動するようにする。軸線方向に延在する回転スピンドルにおいて、装置ハウジング２から工具収容部が突出し、この工具収容部により作業工具、特に、ねじ回しビットのためのビットホルダとして使用する。この点に関する限りは、本発明によるねじ回し装置１は当業界でよく知られている手工具にと同様である。
【００１８】
工具収容部は図１では深さ止め３によって遮蔽されており、この深さ止め３は例えば、２部分構成とし、後方のねじブッシュ４及び前方スリーブ８とにより構成する。後方のねじブッシュ４には装置ハウジング２との連結領域５を連結する。好適には、この連結は、ねじ連結、バヨネット連結等で解離可能な連結とする。前方スリーブ８には雄ねじ部９によってねじブッシュ４にねじ付ける。深さ止め３の全長は、必要に応じてねじブッシュ４における前方スリーブ８のねじ込み量の多少で調整することができる。深さ止め３の機能は、当業界ではよく知られており、これ以上は詳細に説明しない。
【００１９】
ねじブッシュ４の連結領域とは反対側の端部における壁部分に切除部６を設ける。この切除部６はほぼ軸線方向に延在させ、かつねじブッシュ４の壁に完全に貫通させる。この切除部６の装置ハウジング２から遠い方の端部領域に、例えば、ねじヘッドのための水滴状に拡大する挿入領域７を設ける。
【００２０】
【実施例】
図２には、２部分構成の深さ止め１０の他の実施例を示し、この深さ止め１０の後方のねじブッシュ４は図１の後方のねじブッシュに対応する。ねじブッシュ４の装置ハウジングとの連結領域をやはり参照符号５で示す。ねじブッシュ４の壁に設ける切除部を参照符号６で示す。水滴状に拡大する挿入領域を参照符号７で示す。図面から明らかなように、水滴状拡大する挿入領域７を有する切除部は差し込むねじヘッドのためのスリット案内を構成する。差し込んだ状態ではねじヘッドはスリット案内の長手方向端縁に掛合する。雄ねじ部１２によりねじブッシュ４にねじ込む前方スリーブを参照符号１１で示す。前方スリーブ１１の壁には、軸線方向に延在する複数個の開口部１３を設け、これらの開口部１３は前方スリーブ１１の周方向に分布させる。開口部１３は円形に拡大した拡大領域１４を設け、この領域１４に円錐状に縮小する縮小部分１５を連続させる。空間上の理由から、円形状の拡大領域１４はスリーブの後方部分に設け、円錐状に縮小する縮小部１５はスリーブ１１の前方遊端の方向に延在させる。
【００２１】
図３及び図４には、それぞれ２部分構成の深さ止めの他の実施例の一方の部分を示し、深さ止め全体を参照符号１６で示す。後方のねじブッシュ１７はやはり装置ハウジングに着脱自在に連結するための連結領域を設ける。連結領域とは反対側の端部領域に雌ねじを設ける。切除部２０をＵ字状の形状にする。開口する切除部２０の前方端部に傾斜した挿入領域を設け、ねじヘッドの挿入を容易にする。図４に軸線方向の断面を示した前方スリーブ１１は図２の深さ止めの前方スリーブに対応する。この前方スリーブには、ねじブッシュの雌ねじ部１８にねじ連結するための雄ねじ部１２を設ける。参照符号１３で示した鍵穴状の開口部を前方スリーブ１１の周囲に等間隔に分布させる。各開口部１３は、ほぼ円形の拡大領域１４と、円錐状に縮小する縮小部分１５とを有し、この縮小部分１５はスリーブ１１の前方遊端に向かって延在する。円錐状の縮小部は、ドライバビットを挟み付けるときに使用し、装置ハウジングから深さ止め１６を取り外す前にドライバビットをビットホルダから抜き出しやすくする。円形の拡大領域１４はビットホルダを工具収容部から抜き出すのを容易にする。
【００２２】
図５は、深さ止めの他の実施例を示し、参照符号２２で示す。１個又はそれ以上の部分から構成することができるこの深さ止め２２には、例えば、深さ止め２２の壁全体に貫通する３個の開口部２４を設ける。開口部２４は片側を開放し、深さ止めの前方端部を開放する。開口部の開放口は挿入領域２５をなす。開口部２４は、軸線方向に円錐状に縮小させる。深さ止め２２の軸線方向反対側の端部には連結領域２３を設け、深さ止め２２を装置ハウジングから着脱自在に連結することができるようにする。
【図面の簡単な説明】
【図１】  本発明による深さ止めを有するねじ回し装置の側面図である。
【図２】  図１とは異なる他の実施例の深さ止めの斜視図である。
【図３】  ２部分構成の深さ止めの他の実施例の一方の部分の斜視図である。
【図４】  図３の深さ止めの他方の部分の縦断面図である。
【図５】  深さ止めの更に他の実施例の斜視図である。
【符号の説明】
１  ねじ回し装置
２  装置ハウジング
３，１０，１６，２２  深さ止め
４，１７  ねじブッシュ
５，２３  連結領域
６，２０  切除部
７，２５  挿入領域
８，１１  前方スリーブ
９，１２  雄ねじ部
13，２４  開口部
14  拡大領域
15  縮小部分
18  雌ねじ部
【図１】
0004464504.tif 000002
【図２】
0004464504.tif 000003
【図３】
0004464504.tif 000004
【図４】
0004464504.tif 000005
【図５】
0004464504.tif 000006